(57)【要約】  システム資産の監視動作に用いる装置は、システム資産の動作状態を表すセンサデータを受信するインタフェースと、センサデータを格納するためのメモリデバイスと、インタフェース及びメモリデバイスに接続されたプロセッサとを含む。プロセッサは、メモリデバイス内にセンサデータの、第１層及び第２層を含む階層を作成し、センサデータの第１レベルを第１層に格納し、センサデータの第２レベルを第２層に格納するように構成されている。【選択図】図１
2015533006.tif 000002
【特許請求の範囲】
【請求項１】
システム資産（１０２）の監視動作において使用される装置であって、
監視されている前記システム資産（１０２）の動作条件を表すセンサデータを受信するためのインタフェース（１１４）と、
前記センサデータを格納するためのメモリデバイス（１１２）と、
前記インタフェース（１１４、及び前記メモリデバイス（１１２）に接続されたプロセッサ（１１０）とを備え、前記プロセッサ（１１０）が、
前記メモリデバイス（１１２）内に、前記センサデータの、第１層及び第２層を含む階層を作成し、
前記第１層に、前記センサデータの第１レベルを格納し、
前記第２層に、前記センサデータの第２レベルを格納するように構成されている、装置。
【請求項２】
前記プロセッサ（１１０）が、さらに、
前記インタフェース（１１４）からセンサデータのリアルタイムのサンプルを受信し、
前記サンプルを前記センサデータの前記第１レベルにリアルタイムに格納するように構成されている、請求項１に記載の装置。
【請求項３】
前記インタフェース（１１４）が、受信した前記センサデータから前記リアルタイムのサンプルを生成するように構成され、各サンプルが、前記センサデータの値と、前記センサデータのステータスと、前記センサデータが受信された時刻を示すタイムスタンプとを少なくとも含む請求項２に記載の装置。
【請求項４】
前記プロセッサ（１１０）が、さらに、所定の第１期間中に受信された前記サンプルのサマリを生成するように構成されている、請求項２に記載の装置。
【請求項５】
前記プロセッサ（１１０）がさらに、センサデータの前記第２レベルに前記サマリを格納するように構成されている、請求項４に記載の装置。
【請求項６】
前記プロセッサ（１１０）が、前記第１期間中に受信された前記サンプルのステータスと、前記サンプルの少なくとも１つの統計的抽出物を含むように前記サマリを生成するように構成されている、請求項４に記載の装置。
【請求項７】
前記サマリが、第１サマリであり、前記プロセッサ（１１０）が、さらに、第１期間より長い第２期間中に、前記第１サマリに関連づけられた前記サンプルの第２サマリを生成するように構成されている、請求項４に記載の装置。
【請求項８】
システム資産（１０２）の監視動作に使用されるシステム（１００）であって、
監視されている前記システム資産（１０２）の動作条件を表すセンサデータを受信するためのインタフェース（１１４）と、
前記センサデータを格納するためのメモリデバイス（１１２）と、
前記インタフェース（１１４）、及び前記メモリデバイス（１１２）に接続されたプロセッサ（１１０）とを備えるデータ取得装置（１０６）であって、前記プロセッサ（１１０）が、
前記メモリデバイス（１１２）内に、前記センサデータの、第１層及び第２層を含む階層を作成し、
前記第１層に、前記センサデータの第１レベルを格納し、
前記第２層に、前記センサデータの第２レベルを格納するように構成されている、データ取得装置（１０６）と、
前記データ取得装置（１０６）に接続された表示装置（１４０）であって、前記センサデータの前記第２レベルを表すデータを表示するように構成されている表示装置（１４０）とを備えるシステム。
【請求項９】
前記プロセッサ（１１０）が、さらに、前記インタフェース（１１４）からセンサデータのリアルタイムのサンプルを受信し、センサデータの前記第１レベルの前記サンプルをリアルタイムで記憶するように構成されている、請求項８に記載のシステム。
【請求項１０】
前記インタフェース（１１４）が、受信した前記センサデータから、前記リアルタイムのサンプルを生成するように構成され、各サンプルが、前記センサデータの値と、前記センサデータのステータスと、前記センサデータが受信された時刻を示すタイムスタンプとを少なくとも含む請求項９に記載の装置。
【請求項１１】
前記プロセッサ（１１０）が、さらに、所定の第１期間中に受信された前記サンプルのサマリを生成するように構成されている、請求項１０に記載の装置。
【請求項１２】
前記プロセッサ（１１０）がさらに、センサデータの前記第２レベルに前記サマリを格納するように構成されている、請求項１１に記載のシステム。
【請求項１３】
前記プロセッサ（１１０）が、前記第１期間中に受信された前記サンプルのステータスと、前記サンプルの少なくとも１つの統計的抽出物を含むように前記サマリを生成するように構成されている、請求項１１に記載の装置。
【請求項１４】
前記サマリが、第１サマリであり、前記プロセッサ（１１０）が、さらに、第１期間より長い第２期間中に、前記第１サマリに関連づけられた前記サンプルの第２サマリを生成するように構成されている、請求項１１に記載の装置。
【請求項１５】
システム資産（１０２）を監視する方法であって、
メモリデバイス（１１２）内のセンサデータの、第１層及び第２層を含む階層を作成することと、
監視されている前記システム資産（１０２）の動作条件を表すセンサデータを受信することと、
前記第１層に、前記センサデータの第１レベルを格納することと、
前記第２層に、前記センサデータの第２レベルを格納することと、
表示装置（１４０）に、前記センサデータの第２レベルを表すデータを表示することとを含む方法。
【請求項１６】
センサデータを受信することが、センサインタフェース（１１４）からセンサデータのリアルタイムのサンプルを受信することを含む請求項１５に記載の方法。
【請求項１７】
センサデータを受信することが、センサデータの前記サンプルを受信することをさらに含み、各サンプルが、前記センサデータの値と、前記センサデータのステータスと、前記センサデータが受信された時刻を示すタイムスタンプとを少なくとも含む請求項１６に記載の装置。
【請求項１８】
所定の第１期間中に受信された前記サンプルのサマリを生成することをさらに含む請求項１７に記載の方法。
【請求項１９】
前記第２層に、センサデータの第２レベルを前記格納することが、センサデータの前記第２レベル内に前記サマリを格納することをさらに含む、請求項１８に記載の方法。
【請求項２０】
前記サマリを生成することが、前記サマリに、サンプルのステータスと、前記第１期間中に受信された前記サンプルの少なくとも１つの統計的抽出物を含めることを含む、請求項１８に記載の方法。
【発明の詳細な説明】
【技術分野】
【０００１】
本願は、一般に電力システムに関し、特に、システム資産の監視動作に使用される方法及び装置に関する。
【背景技術】
【０００２】
少なくともいくつかの公知の発電システムは、発電機、モータ、ファン、及び／又は他の部品等の複数の構成要素を含む。そのような構成要素は、発電所や工場等の建物内に配置されることが多い。建物は、故障する可能性があり、かつ／又はメンテナンスを必要とする複数システム構成要素を含む場合がある。そのようなシステム構成要素は、構成要素が充分満足に動作することを保証するために、及び／又はメンテナンスを必要としているか否かを決定するために、監視されていることが多い。
【０００３】
システム構成要素を監視することができるようにするために、少なくともいくつかの公知のシステムは、その構成要素に接続されているか、又は近接して配置された複数のセンサを含む。センサは、構成要素の動作条件を計測し、計測された動作状態を表す信号を１つ以上の監視システムに送る。監視システムは、信号をデジタルセンサデータに変換し、かつ／又はそのセンサデータをメモリに格納する。しかし、このようなセンサデータを格納するためには、特に、多数のセンサを含むシステム、及び／又はセンサが、頻繁な間隔で監視し、データを送信するシステムでは、経時的に大量のメモリが必要となる。
【０００４】
センサデータにより消費されるメモリの量を低減するために、いくつかの既知の監視システムは、所定の又は定期的な間隔でセンサデータを格納するだけである。しかし、このような監視システムの定期的な格納では、監視システムは、重要なセンサデータを取り逃がすことがある。その結果、システム構成要素を監視する能力が損なわれ、あるいは少なくとも制限される。
【先行技術文献】
【特許文献】
【０００５】
【特許文献１】米国特許出願公開第２００９／２８７３３５号明細書
【発明の概要】
【０００６】
一実施形態において、監視されているシステム資産の動作状態を表すセンサデータを受信するインタフェースと、センサデータを格納するためのメモリデバイスと、インタフェース及びメモリデバイスに接続されたプロセッサとを含む、システム資産の監視動作に使用される装置が提供される。プロセッサはメモリデバイス内に、センサデータの階層を作成するように構成されている。この階層が、第１層及び第２層を含む。プロセッサはさらに、第１層内にセンサデータの第１レベルを格納し、第２層内にセンサデータの第２レベルを格納するように構成されている。
【０００７】
別の実施形態では、資産の監視動作に使用されるシステムであって、監視されているシステム資産の動作条件を表すセンサデータを受信するためのインタフェースと、センサデータを格納するためのメモリデバイスと、インタフェース、及びメモリデバイスに接続されたプロセッサとを含むデータ取得装置を含むシステムが提供される。プロセッサはメモリデバイス内に、センサデータの階層を作成するように構成されている。この階層が、第１層及び第２層を含む。プロセッサはさらに、第１層内にセンサデータの第１レベルを格納し、第２層内にセンサデータの第２レベルを格納するように構成されている。システムは、データ取得装置に接続された表示装置をさらに備えている。表示装置は、センサデータの第２レベルを表すデータを表示するように構成されている。
【０００８】
さらに別の実施形態では、メモリデバイス内にセンサデータの、第１層及び第２層を含む階層を作成することを含むシステム資産を監視する方法が提供される。この方法は、さらに、監視されているシステム資産の動作条件を表すセンサデータを受信することと、第１層に、センサデータの第１レベルを格納することと、第２層に、センサデータの第２レベルを格納することと、表示装置に、センサデータの第２レベルを表すデータを表示することとを含む。
【図面の簡単な説明】
【０００９】
【図１】複数のシステム資産を含む例示的なシステムのブロック図である。
【図２】図１に示すシステムと共に用いることができるセンサデータの例示的な階層を示すブロック図である。
【図３】図１に示すシステムによって実行され得る、システム資産を監視する例示的な方法のフロー図である。
【発明を実施するための形態】
【００１０】
図１は、複数のシステム資産１０２を含む例示的なシステム１００のブロック図である。例示的な実施形態では、システム１００は、工場、産業システムや産業施設、製造工場、製油所、製造設備、発電プラントや発電施設、及び／又は、複数のシステム資産１０２を含む他の任意のシステムであってもよいし、これらを含んでもよい。システム資産１０２は、機械、モータ、発電機、ポンプ、ファン、コンピュータシステムもしくはコンピュータデバイス、センサ、及び／又は、本明細書に記載したようにシステム１００を機能させることができる、あらゆる他の装置又は機械を含み得るが、これらのみを含むことに限定されるものではない。
【００１１】
例示的な実施形態において、少なくとも１つのセンサ１０４が、システム資産１０２の動作状態を計測するために、少なくとも１つのシステム資産１０２に接続される。例えば、システム資産１０２が、回転機械である場合には、センサ１０４は、関連する機械の駆動軸の振動、駆動軸の回転数や回転速度、機械の温度、機械内部の圧力、及び／又はシステム１００内の、又はシステム１００に接続された任意の部品又は装置の、任意の他の動作状態を計測することができる。
【００１２】
システム１００は、データ取得装置１０６と、データ取得装置１０６に接続された計算装置１０８とをさらに含む。例示的な実施形態において、データ取得装置１０６は、１つ以上のメモリデバイス１１２に接続されたプロセッサ１１０と、センサインタフェース１１４（入力デバイスと称されることもある）と、通信インタフェース１１６と、１以上のデータベース１１８とを備えている。
【００１３】
プロセッサ１１０は、任意の適切なプログラマブル回路を含んでいる。任意の適切なプログラマブル回路は、１以上のシステム、及びマイクロコントローラと、マイクロプロセッサと、縮小命令セット回路（ＲＩＳＣ）と、特定用途向け集積回路（ＡＳＩＣ）と、プログラマブル論理回路（ＰＬＣ）と、フィールドプログラマブルゲートアレイ（ＦＰＧＡ）と、本明細書に記載した機能を実行できるあらゆる他の回路とを含む。上記の例は例示的なものに過ぎず、したがって、用語「プロセッサ」の定義及び／又は意味を、いかなる意味においても限定しようとするものではない。
【００１４】
メモリデバイス１１２は、コンピュータ読み取り可能な記憶媒体を含む。コンピュータ読み取り可能な記憶媒体には、例えば、ランダムアクセスメモリ（ＲＡＭ）、フラッシュメモリ、ハードディスクドライブ、ソリッドステートドライブ、フロッピー(登録商標）ディスク、フラッシュドライブ、コンパクトディスク、デジタルビデオディスク、及び／又は任意の適切なメモリが含まれるが、これらに限定されない。例示的な実施形態では、メモリデバイス１１２は、プロセッサ１１０が本明細書に記載した機能を実行できるように、プロセッサ１１０によって実行可能なデータ及び／又は命令を含んでいる（即ち、プロセッサ１１０は、命令によってプログラムされる）。
【００１５】
センサインタフェース１１４は、システム資産１０２の、計測された動作状態を表す信号を受信するためのセンサ１０４に接続されている。より具体的には、センサインタフェース１１４は、無線接続及び／又は有線接続を介してセンサ１０４から信号を受信する。例示的な実施形態では、センサインタフェース１１４は、プロセッサ１１０と共に使用するために、センサ１０４から受信した信号を変換及び／又は調節する。一実施形態では、センサインタフェース１１４は、センサ１０４から受信したアナログ信号を、計測された動作状態を表すデジタルデータ（以下「センサデータ」という）に変換するアナログデジタル変換器（ＡＤＣ）を含み、このセンサデータが、プロセッサ１１０に送信される。例示的な実施形態において、データ取得装置１０６は、受信したセンサデータに基づいて、各システム資産１０２のステータス及び／又はセンサデータのステータスを判断する。
【００１６】
通信インタフェース１１６には、ネットワークインタフェースコントローラ（ＮＩＣ）、ネットワークアダプタ、トランシーバ、又は、データ取得装置１０６が、本明細書に記載したように動作することを可能にする任意の他の通信インタフェース又は装置が含まれ得るが、これらに限定されない。例示的な実施形態において、通信インタフェース１１６は、任意の適切な有線もしくは無線のネットワーク及び／又は通信プロトコルを使用して計算装置１０８に接続することができる。
【００１７】
例示的な実施形態において、データベース１１８は、計測値データベース１２０と参照値データベース１２２を含む。あるいは、データベース１１８は、任意の他のデータベースを含むことができ、かつ／又は計測値データベース１２０及び参照値データベース１２２を結合して、１つのデータベース１１８にすることができる。一実施形態では、データベース１１８は、１つ以上のメモリデバイス１１２内に含まれる。あるいは、データベース１１８は、ネットワーク接続ストレージ（ＮＡＳ）、外部ハードドライブ、遠隔計算装置、及び／又はデータ取得装置１０６が、本明細書で説明するように機能することを可能にするあらゆる他のメモリデバイス等の１以上の遠隔メモリデバイス内に格納されている。
【００１８】
プロセッサ１１０は、この例示的な実施形態では、センサ１０４から受信したセンサデータを計測値データベース１２０内に格納する。より具体的には、センサインタフェース１１４は、センサ１０４からセンサ計測信号を受信し、プロセッサ１１０によって、計測値データベース１２０内に格納されるセンサデータに変換する。さらに、一実施形態では、プロセッサ１１０やその他の装置は、参照値データベース１２２内に各システム資産１０２の参照データを格納する。各システム資産１０２の参照データは、システム資産１０２に関する任意の適切な参照データを含むことができる。例えば、参照データは、特定のシステム資産１０２用の製造者の仕様等に基づくシステム資産１０２の期待される又は予測される性能に基づいてもよい。付加的又は代替的に、参照データは、計測データに基づいてもよい。いくつかの実施形態において、参照データは、特定のシステム資産１０２が、システム１００に新たに設置された場合、及び／又は特定のシステム資産１０２が最適な性能で機能している場合に、計測されたシステム資産１０２の計測データから引き出される。いくつかの実施形態では、ユーザが、あるシステム資産１０２に対する任意の所望の計測データを、システム資産１０２についての参照データとして格納することを選択することができる。参照データは、センサデータ及び／又はシステム資産１０２のステータスを決定するために、プロセッサ１１０によって使用され得る。
【００１９】
本明細書においてより詳細に説明されるように、例示的な実施形態では、プロセッサ１１０は、異なる複数の層のセンサデータを格納及び／又は分類するために、メモリデバイス１１２内に複数の層を含むセンサデータの階層１２４を作成する。より具体的には、この例示的な実施形態では、プロセッサ１１０は、第１層１２６、第２層１２８、及び第３層１３０をメモリデバイス１１２内に作成する。あるいは、システム１００が、本明細書に記載したように機能することを可能にする任意の適切な数の層を、メモリデバイス１１２内に作成することができる。この例示的な実施形態において、第１層１２６は、計測値データベース１２０内に作成され、第２層１２８及び第３層１３０は、それぞれ参照値データベース１２２内に作成される。あるいは、第１層１２６、第２層１２８、及び／又は第３層１３０は、任意の適切なメモリデバイス１１２、もしくはメモリデバイス１１２の部分内に作成及び／又は格納することができる。例えば、第１層１２６、第２層１２８、及び／又は第３層１３０は、同じメモリデバイス１１２の別個のファイル内に格納され得る。
【００２０】
計算装置１０８は、この例示的な実施形態では、データ取得装置１０６からデータを受信するため、及び／又はシステム資産１０２に関連するセンサデータを表示するために、データ取得装置１０６に接続されている。計算装置１０８は、メモリデバイス１３４、通信インタフェース１３６、ユーザ入力デバイス１３８、及び表示装置１４０に接続されたプロセッサ１３２を含む。例示的な実施形態では、計算装置１０８は、ラップトップ、スマートフォン、パーソナルデジタルアシスタント（ＰＤＡ）、タブレットコンピュータ、及び／又は、本明細書で説明するように機能する他の任意の装置等のモバイル装置である。あるいは、計算装置１０８は、デスクトップコンピュータ、サーバコンピュータ、及び／又はシステム１００が本明細書で説明するように機能することを可能にする他の任意の計算装置であってもよい。いくつかの実施形態では、計算装置１０８とデータ取得装置１０６は、単一の装置に組み合わせることができる。
【００２１】
プロセッサ１３２は、１以上のシステム及びマイクロコントローラを含む任意の適切なプログラマブル回路と、マイクロプロセッサと、縮小命令セット回路（ＲＩＳＣ）と、特定用途向け集積回路（ＡＳＩＣ）と、プログラマブル論理回路（ＰＬＣ）と、フィールドプログラマブルゲートアレイ（ＦＰＧＡ）と、本明細書に記載した機能を実行できるあらゆる他の回路とを含む。上記の例は例示的なものに過ぎず、したがって、用語「プロセッサ」の定義及び／又は意味を、いかなる意味においても限定しようとするものではない。
【００２２】
メモリデバイス１３４は、コンピュータ読み取り可能な記憶媒体を含む。コンピュータ読み取り可能な記憶媒体には、例えば、ランダムアクセスメモリ（ＲＡＭ）、フラッシュメモリ、ハードディスクドライブ、ソリッドステートドライブ、フロッピー(登録商標）ディスク、フラッシュドライブ、コンパクトディスク、デジタルビデオディスク、及び／又は任意の適切なメモリが含まれるが、これらに限定されない。例示的な実施形態では、メモリデバイス１３４は、プロセッサ１３２が本明細書に記載した機能を実行できるように、プロセッサ１３２によって実行可能なデータ及び／又は命令を含んでいる（即ち、プロセッサ１３２は、命令によってプログラムされる）。
【００２３】
通信インタフェース１３６には、ネットワークインタフェースコントローラ（ＮＩＣ）、ネットワークアダプタ、トランシーバ、及び／又は、計算装置１０８が、本明細書に記載したように動作することを可能にする任意の他の通信インタフェース又は装置が含まれ得るが、これらに限定されない。例示的な実施形態において、通信インタフェース１３６は、任意の適切な有線又は無線のネットワーク及び／又は通信プロトコルを使用してデータ取得装置１０６に接続することができる。
【００２４】
ユーザ入力デバイス１３８には、キーボード、キーパッド、タッチ感知スクリーン、マウス、スクロールホイール、ポインティング装置、音声認識ソフトウェアを用いる音声入力装置、及び／又はユーザが、計算装置１０８にデータを入力すること、及び／又は計算装置１０８からデータを検索することを可能にする、任意の適切な装置が含まれるが、これらに限定されない。表示装置１４０には、液晶ディスプレイ（ＬＣＤ）、真空蛍光ディスプレイ（ＶＦＤ）、陰極線管（ＣＲＴ）、プラズマディスプレイ、発光ダイオード（ＬＥＤ）ディスプレイ、１以上のＬＥＤ、及び／又は、ユーザに画像データ及びテキストを表示することができる任意の適切な視覚出力デバイスが含まれるが、これらに限定されない。一実施形態では、表示装置１４０は、例えば、画面を介してデータ及び／又はコマンドを入力することを可能とすることにより、ユーザ入力デバイス１３８の態様を組み込んだタッチ感知スクリーンであってもよい。
【００２５】
図２は、システム１００（図１に示す）に用いることができるセンサデータの例示的な階層１２４のブロック図である。
【００２６】
例示的な実施形態では、プロセッサ１１０（図１に示す）は、センサデータの別々のレベルを階層１２４の各層に格納する。各レベルは、センサデータの異なる抽出度を表す。この例示的な実施形態では、プロセッサ１１０は、センサデータの第１レベル２０２を第１層１２６内に格納し、センサデータの第２レベル２０４を第２層１２８内に格納し、かつセンサデータの第３レベル２０６を第３層１３０内に格納する。一実施形態では、第１層１２６は、センサデータの生サンプル及び／又はデータのサマリセットを含み、第２層１２８は、データのサマリを含む。付加的又は代替的に、少なくともいくつかの実施形態では、第２層１２８、及び第３層１３０が、互いのマルチプル（ｍｕｌｔｉｐｌｅ）である（即ち、第２層１２８及び第３層１３０は、それぞれのデータには直接的な関連性がないように、別々に定義されるが、少なくともいくつかの実施形態では、より上位の階層は、下位の階層のマルチプルであり得る）。
【００２７】
第１レベル２０２は、例示的な実施形態では、センサデータの、サンプル２０８、即ち離散的な計測値を複数含む。例えば、センサデータは、センサインタフェース１１４から受信されたサンプル２０８の連続ストリーム、又は列と見なすことができる。各サンプル２０８は、プロセッサ１１０によって、センサインタフェース１１４からリアルタイムに受信され、プロセッサ１１０によって、メモリデバイス１１２の第１層１２６内に格納される。各サンプル２０８は、センサデータの値２１０（例えば、特定のシステム資産１０２の計測された動作条件の値）、サンプル２０８が、プロセッサ１１０により受信された時刻を表すタイムスタンプ２１２、センサデータに関連づけられたサンプル２０８のステータス２１４、及び／又はシステム資産１０２を含む。ステータス２１４は、例えば、サンプル２０８が有効である（例えば、サンプル２０８は、センサデータの有効な値２１０を含む）か否か、サンプル２０８が無効である（例えば、サンプル２０８は、センサデータの有効な値２１０を含まない）か否か、サンプル２０８に関連づけられたシステム資産１０２が、警報ステータスであるか否か、及び／又は、システム１００が、本明細書に記載されたように機能できるようにする任意の他のステータスイベント等の、１つ以上のステータスイベントが起こったか否かの表示を含む。
【００２８】
本明細書で使用される用語「リアルタイム」は、ある結果であって、当該結果に影響する入力の変化と実質的に同時に発生する結果を意味する。例えば、回路部品を通じて信号を伝送又は伝搬するのに要する時間を考慮せずに、センサ信号が、その信号が生成された時間と実質的に同時に処理されるか、又は受信される場合、このセンサ信号は、リアルタイムで処理されるか、又は受信されるものとすることができる。
【００２９】
例示的な実施形態において、第２レベル２０４は、第１サマリ２１８、第２サマリ２２０等のサンプル２０８のサマリ２１６（第２レベルのサマリ２１６とも呼ばれる）を複数含む。サマリ２１６は、所定の期間中の、サンプル２０８の編集物又は抽出物を含む。例えば、第１サマリ２１８は、第１期間２２２の間に受信されたサンプル２０８の抽出物を含み、第２サマリ２２０は、第２期間２２４の間に受信されたサンプル２０８の抽出物を含んでいる。より具体的には、この例示的な実施形態では、各サマリ２１６は、サマリ２１６のステータス編集物２２６と、サマリ２１６に関連づけられたサンプル２０８の１以上の統計的抽出物２２８と、サマリ２１６を開始する点である初期サンプル２３０と、サマリを終了する点である最終サンプル２３２とを含む。
【００３０】
ステータス編集物２２６は、サマリ２１６に関連づけられた期間中の各サンプル２０８のステータス２１４を組み合わせたものである。一実施形態では、各サンプル２０８のステータス２１４は、１ビット、又は構造の別の部分が、ステータスビットに関連づけられた、検出されたステータスイベントに基づいて設定されているデータ構造で表現される。したがって、かかる実施形態では、ステータス編集物２２６は、各サンプル２０８の各ステータスデータ構造のビットの、ビット単位の論理和である。したがって、ステータス編集物２２６は、サマリ２１６に関連づけられた期間中に起こったすべてのステータスイベントを反映している。
【００３１】
例示的な実施形態において、初期サンプル２３０は、サマリ２１６に関連づけられた期間の最初のサンプル２０８であり、最終サンプル２３２は、サマリ２１６に関連づけられた期間の最後のサンプル２０８である。あるいは、最初のサンプル２０８と最後のサンプル２０８が受信された時間を、初期サンプル２３０と最終サンプル２３２に代えてサマリ２１６内に格納してもよい。
【００３２】
この例示的な実施形態では、統計的抽出物２２８は、サマリ２１６に関連づけられた期間における各サンプル値２１０の統計計算である。例えば、統計的抽出物２２８は、平均値、中央値、最大値、最小値、及び／又は期間内のサンプル２０８の値２１０の標準偏差を含むことができるが、これらを含むことだけに限定されない。例示的な実施形態において、複数の統計的抽出物２２８が、サマリ２１６内に含まれる。
【００３３】
この例示的な実施形態では、この期間は、システム１００が、本明細書に記載したように機能することを可能にする、１時間、１日、１週間等の任意の適切な期間を含むことができる。一実施形態において、この期間は、ユーザ入力デバイス１３８及び／又は通信インタフェース１１６を介して、プロセッサ１１０によって受信されたユーザ入力に応じて設定される。
【００３４】
さらに、例示的な実施形態では、第３レベル２０６は、第２レベルのサマリ２１６の抽出物又は編集物である少なくとも１つの第３レベルのサマリ２３４（又は第３サマリ２３４）を含む。第３レベルのサマリ２３４が、第１期間２２２と第２期間２２４を含む第３期間２３６等の所定期間中の、第２レベルのサマリ２１６の編集物又は抽出物を含む。したがって、例示的な実施形態では、第３レベルのサマリ２３４の各々は、ステータス編集物２３８と、第３レベルのサマリ２３４に関連づけられたサンプル２０８の１以上の統計的サマリ２４０と、第３レベルのサマリ２３４を開始する点である初期サンプル２４２と、第３レベルのサマリ２３４を終了する点である最終サンプル２４４とを含む。例えば、第３レベルのサマリ２３４のステータス編集物２３８は、第１サマリ２１８及び第２サマリ２２０のステータス編集物２２６の編集物であって、例えば、第１サマリ２１８と第２サマリ２２０とのビット単位の論理和である。例示的な実施形態では、第３レベルのサマリ２３４の初期サンプル２４２は、第１サマリ２１８の初期サンプル２３０であり、第３レベルのサマリ２３４の最終サンプル２３２は、第２サマリ２２０の最終サンプル２３２である。第３レベルのサマリ２３４の統計的サマリ２４０は、第１サマリ２１８及び第２サマリ２２０の統計的抽出物２２８の編集物である。さらなる例として、一実施形態では、第１サマリ２１８は、第１期間２２２内のサンプル２０８の値２１０の平均値である統計的抽出物２２８を含み、第２サマリ２２０は、第２期間２２４内のサンプル２０８の値２１０の平均値である統計的抽出物２２８を含む。かかる例では、第３レベルのサマリ２３４は、２つの平均値、即ち、第１サマリ平均と第２サマリ平均との平均値である、統計的サマリ２４０を含む。
【００３５】
階層１２４は、任意の適切な数のサマリを有する任意の適当な数のレベルを含むことができることを認識されたい。例えば、追加のサマリが、第３レベルのサマリ２３４より上に含まれてもよく、あるいは第３レベルのサマリ２３４を省略して、第２レベルのサマリ２１６のみが階層１２４に含まれることとしてもよい。
【００３６】
図３は、システム１００と共に用いることができる、システム資産１０２（共に図１に示す）等のシステム資産を監視する例示的な方法３００のフロー図を示す。例示的な実施形態では、方法３００は、プロセッサ１１０等のプロセッサによって実行可能な、メモリデバイス１１２（共に図１に示す）内に格納された、複数のコンピュータ実行可能な命令において実現される。さらに、この例示的な実施形態では、プロセッサ１１０が命令を実行する際に、命令が、プロセッサ１１０に、方法３００の各ステップを実行するようプログラムする。
【００３７】
例示的な実施形態では、方法３００は、メモリデバイス１１２に、階層１２４等の、センサデータレベルの階層を作成すること３０２を含む。例えば、プロセッサ１１０は、センサデータの第１レベル２０２を格納する第１層１２６と、センサデータの第２レベル２０４を記憶する第２層１２８と、センサデータの第３レベル２０６を格納する第３層１３０とを作成する３０２ことができる。
【００３８】
プロセッサ１１０は、センサインタフェース１１４から、リアルタイムで、センサデータのサンプル２０８のストリーム又は列を受信する３０４。サンプル２０８は、メモリデバイス１１２内の第１レベル２０２に格納される。プロセッサ１１０は、受信した各サンプル２０８に基づいて、階層１２４の第２レベル２０４内の１以上のサマリ２１６をリアルタイムで自動的に更新する３０６。例えば、各サンプル２０８が、サマリ２１６に関連づけられた期間内に受信される３０４と、プロセッサ１１０は、サンプル２０８の値２１０に基づいてサマリ２１６の統計的抽出物２２８を更新し、サンプル２０８のステータス２１４に基づいてステータス編集物２２６を更新する。例示的な実施形態では、プロセッサ１１０は、サンプル２０８の受信と実質的に同時にサマリ２１６を更新する３０６。
【００３９】
プロセッサ１１０はまた、受信した各サンプル２０８に基づいて、かつ／又は少なくとも１つの第２レベルのサマリ２１６に基づいて、階層１２４の第３レベル２０６内の第３レベルのサマリ２３４等の１以上のサマリをリアルタイムで自動的に更新する３０８。この例示的な実施形態において、各サンプル２０８が受信されると同時に、プロセッサ１１０は、第２レベルのサマリ２１６と第３レベルのサマリ２３４を自動的に更新する。あるいは、プロセッサ１１０は、第２レベルのサマリ２１６が更新された後に、第３レベルのサマリ２３４を更新してもよい。
【００４０】
第２レベルのサマリ２１６及び／又は第３レベルのサマリ２３４等の、少なくとも１つのサマリは、表示装置に表示される３１０。例えば、プロセッサ１１０は、データを表示装置１４０に表示することができるようにするために、第２レベルのサマリ２１６及び／又は第３レベルのサマリ２３４を表すデータを計算装置１０８に送信してもよい。
【００４１】
本明細書で説明したシステム、装置、及び方法の技術的効果は、（ａ）メモリデバイス内に、センサデータの、第１層と第２層とを含む階層を作成すること、（ｂ）システム資産の動作状態を表すセンサデータを受信すること、（ｃ）センサデータの第１レベルを第１層内に格納すること、（ｄ）センサデータの第２レベルを第２層に格納すること、（ｅ）センサデータの第２レベルを表すデータを表示装置に表示すること、のうちの少なくとも１つを含む。
【００４２】
本明細書に記載されるシステムは、１以上のシステム資産の動作を監視する。センサが、システム資産の動作状態を検出及び／又は計測する。センサは、計測信号のサンプルを取得し、デジタル化して、センサデータサンプル列を生成するデータ取得装置に、計測信号を送信する。センサデータサンプルをプロセッサに送信する。プロセッサは、メモリデバイス内に、複数のレベルを含むセンサデータの階層を作成する。プロセッサは、複数のレベルのうち第１レベルにサンプルを格納し、第１期間内にサンプルの少なくとも１つのサマリを作成し、このサマリを複数のレベルのうち第２レベルに格納する。このサマリは、第１期間内のサンプルのセンサデータの値とステータスの編集物であり、このサマリは、各サンプルが受信された時刻を示すタイムスタンプを含む。階層に、付加的なレベルを作成すること、及び／又はこの付加的なレベルを、さらなるサマリ、又は抽出物、例えば階層中のより低いレベル内のサマリの抽出物で満たしてもよい。階層の、より下位レベルのサンプル又はサマリが受信及び／又は更新されたとき、各サマリは、リアルタイムで更新される。その結果、本明細書で説明したように、サマリは、後に下にあるサンプルからサマリを計算、又は生成する必要なく、後の時間に表示及び／又はアクセスすることができる。また、サマリ内のサンプルの編集物を保持しながら、記憶空間を捕捉しなおすために、サンプルを削除してもよい。
【００４３】
１つ以上のシステム資産の監視動作において使用される方法及び装置の例示的な実施形態を詳細に説明した。この方法及び装置は、本明細書に記載した特定の実施形態に限定されず、システム及び／もしくは装置の部品、並びに／又は方法のステップは、本明細書で説明した他の部品及び／又はステップから独立して別個に利用することができる。例えば、データ取得装置は、他のシステム及び方法と組み合わせて使用することができ、本明細書で説明したようなシステム又は計算装置のみと共に実施することに限定されるものではない。そうではなく、例示的な実施形態は、他の多くの電力システム又は産業の用途に関連して実現及び利用することができる。
【００４４】
本発明の種々の実施形態の具体的な特徴を示している図面と示していない図面とがあるが、これは単に便宜的なものである。本発明の原理によれば、ある図面の任意の特徴部を、他の任意の図面の任意の特徴部と組み合わせて参照及び／又は特許請求することができる。
【００４５】
本明細書は、本発明を開示するため、及びいかなる当業者であっても、装置又はシステムの使用、及び組み込まれた任意の方法の実行を含めた本発明の実施が可能となるように、最良の態様を含めた例を使用している。本発明の特許性のある範囲は、特許請求の範囲によって定義され、当業者に想起される他の例を含み得る。そのような他の実施例は、特許請求の範囲の文字通りの文言と異ならない構造要素を有する場合、又は特許請求の範囲の文言と実質的な差異のない均等の構造要素を含む場合、特許請求の範囲内に含まれることが意図されている。
【符号の説明】
【００４６】
１００  システム
１０２  システム資産
１０４  センサ
１０６  データ取得装置
１０８  計算装置
１１０  プロセッサ
１１２  メモリデバイス
１１４  センサインタフェース
１１６  通信インタフェース
１１８  データベース
１２０  計測値データベース
１２２  参照値データベース
１２４  階層
１２６  第１層
１２８  第２層
１３０  第３層
１３２  プロセッサ
１３４  メモリデバイス
１３６  通信インタフェース
１３８  ユーザ入力デバイス
１４０  表示装置
２０２  第１レベル
２０４  第２レベル
２０６  第３レベル
２０８  サンプル
２１０  サンプル値
２１２  タイムスタンプ
２１４  ステータス
２１６  第２レベルのサマリ
２１８  第１サマリ
２２０  第２サマリ
２２２  第１期間
２２４  第２期間
２２６  ステータス編集物
２２８  統計的抽出物
２３０  初期サンプル
２３２  最終サンプル
２３４  第３レベルのサマリ
２３６  第３期間
２３８  ステータス編集物
２４０  統計的サマリ
２４２  初期サンプル
２４４  最終サンプル
【図１】
2015533006.tif 000003
【図２】
2015533006.tif 000004
【図３】
2015533006.tif 000005
【国際調査報告】
2015533006.tif 000006
2015533006.tif 000007
2015533006.tif 000008